(57)【要約】【課題】ポケットへ十分な潤滑油が供給できるようにして外輪および内輪の焼き付きを無くすことができる樹脂製保持器を提供する。【解決手段】リング状を有し、一端側に開口せず、他端側に開口する位置に、円周方向に複数のポケット３１を形成し、他端側の端面にポケット３１に対応する位置で一対の爪３２を設けた樹脂製保持器３０において、軸方向において一端側の端面からポケット３１までの範囲内で、円周方向においてポケット３１の範囲内で、外径方向に突出した第１の突起部３６を設け、軸方向において他端側のみで、円周方向においてポケット３１間で、外径方向に突出した第２の突起部を設け、第１の突起部３６および第２の突起部３８以外の外周に、軸方向において第２の突起部を除くポケット３１の範囲内で円周方向に連続して切欠いた第１の切欠き３７を形成し、円周方向においてポケット３１間で軸方向に貫通して切欠いた第２の切欠き３５を形成した。【選択図】図３
2013148119.tif 000002
【特許請求の範囲】
【請求項１】
リング状を有し、一端側に開口せず、他端側に開口する位置に、円周方向に複数のポケットを形成し、他端側の端面に前記ポケットに対応する位置で一対の爪を設けた樹脂製保持器において、
軸方向において前記一端側の端面から前記ポケットまでの範囲内で、円周方向において前記ポケットの範囲内で、外径方向に突出した第１の突起部を設け、軸方向において前記他端側のみで、円周方向において前記ポケット間で、外径方向に突出した第２の突起部を設け、前記第１の突起部および前記第２の突起部以外の外周に、軸方向において前記第２の突起部を除く前記ポケットの範囲内で円周方向に連続して切欠いた第１の切欠きを形成し、円周方向において前記ポケット間で、軸方向において前記一端側の端面から前記第１の切欠きにかけて切欠いた第２の切欠きを形成したことを特徴とする樹脂製保持器。
【発明の詳細な説明】
【技術分野】
【０００１】
本発明は、転がり軸受に使用する樹脂製保持器に関する。
【背景技術】
【０００２】
図４（特許文献１）に示す樹脂製保持器１００は、円周方向に複数のポケット１１０を有するとともに、各ポケット１１０に一対の爪１１１を有する。また、樹脂製保持器１００の外周には、軸方向溝１２０が円周方向に複数しかも軸方向に形成されている。軸方向溝１２０を介してポケット１１０に潤滑油が供給されることにより、図略の玉および外輪間、玉および内輪間に潤滑油が供給される。
【先行技術文献】
【特許文献】
【０００３】
【特許文献１】特開２０００−４６０５８号公報
【発明の概要】
【発明が解決しようとする課題】
【０００４】
樹脂製保持器１００の一端側にある前記潤滑油は、軸方向溝１２０を介して樹脂製保持器１００の他端側へ流れ、円周方向に回り込んでからポケット１１０へ供給され、経路が長いので、ポケット１１０に供給される潤滑油の量が不十分となり、外輪および内輪の焼き付きが発生しやすい。本発明は上述した問題点を解決するためになされたもので、その目的とするところは、ポケットへ十分な潤滑油が供給できるようにして外輪および内輪の焼き付きを無くすことができる樹脂製保持器を提供する。
【課題を解決するための手段】
【０００５】
請求項１に記載の発明は、リング状を有し、一端側に開口せず、他端側に開口する位置に、円周方向に複数のポケットを形成し、他端側の端面に前記ポケットに対応する位置で一対の爪を設けた樹脂製保持器において、軸方向において前記一端側の端面から前記ポケットまでの範囲内で、円周方向において前記ポケットの範囲内で、外径方向に突出した第１の突起部を設け、軸方向において前記他端側のみで、円周方向において前記ポケット間で、外径方向に突出した第２の突起部を設け、前記第１の突起部および前記第２の突起部以外の外周に、軸方向において前記第２の突起部を除く前記ポケットの範囲内で円周方向に連続して切欠いた第１の切欠きを形成し、円周方向において前記ポケット間で、軸方向において前記一端側の端面から前記第１の切欠きにかけて切欠いた第２の切欠きを形成したことを特徴とする。
【発明の効果】
【０００６】
本発明によれば、一端側の潤滑油は、第２の切欠きおよび第１の切欠きを経てポケットに供給され、経路が短いので、ポケットに供給される潤滑油の量が十分なものとなり、外輪および内輪の焼き付きが発生しにくい。第１の切欠きへ導かれた潤滑油は、他端側に設けた第２の突起部によって強制的にポケットへ潤滑油が導かれるので、ポケットへ供給される潤滑油の量がより一層増え、外輪および内輪の焼き付きが一層発生しにくい。また円周方向において断面の面積が小さくなるところに第１の突起部を設けて断面の面積を増やしたので、円周方向の引っ張り荷重によって破断する可能性が少ない。
【図面の簡単な説明】
【０００７】
【図１】本発明の実施形態における玉軸受の正面図である。
【図２】本発明の実施形態における図１のＡ−Ａ線断面図である。
【図３】本発明の実施形態における樹脂製保持器の斜視図である。
【図４】従来における樹脂製保持器の斜視図である。
【発明を実施するための形態】
【０００８】
本発明の実施形態について、図１乃至図３を参酌しつつ説明する。図１は玉軸受の正面図であり、図２は図１のＡ−Ａ線断面図であり、図３は樹脂製保持器の斜視図である。
【０００９】
図１および図２に示す転がり軸受は、転動体として玉を使った玉軸受１０である。玉軸受１０は、リング状の外輪１１と、外輪１１の内周側に配置されるリング状の内輪２０と、外輪１１と内輪２０間に配置されるリング状の樹脂製保持器３０と、樹脂製保持器３０に保持される複数の玉４０とからなっている。
【００１０】
前記外輪１１の内周には、断面円弧状の外輪側軌道面１２が形成され、外輪側軌道面１２の両側に、外輪側肩部１３が軸線と平行に形成されている。
【００１１】
前記内輪２０の外周には、断面円弧状の内輪側軌道面２２が形成され、内輪側軌道面２２の両側に、内輪側肩部２３が軸線と平行に形成されている。
【００１２】
前記樹脂製保持器３０は、円周方向に複数のポケット３１を有し、各ポケット３１に玉４０が回転可能に保持されている。前記玉４０は、金属製で、球形状を有する。
【００１３】
図２および図３に示すようにポケット３１は、軸方向において樹脂製保持器３０の一端側に開口せず、他端側に開口する位置に形成されている。樹脂製保持器３０の他端側の端面から一対の爪３２が軸方向に突出し、一対の爪３２はポケット３１毎に設けられている。一対の爪３２間へ玉４０を挿入すると、一対の爪３２間が拡がるようになっている。
【００１４】
樹脂製保持器３０の外周には、軸方向において一端側の端面からポケット３１までの範囲内で、円周方向においてポケット３１の範囲内で、外径方向に突出した第１の突起部３６が形成されている。樹脂製保持器３０の外周には、軸方向において他端側のみで、円周方向においてポケット３１間で、外径方向に突出した第２の突起部３８が形成されている。第２の突起部３８は、ポケット３１間で円周方向に連続して形成されたものであり、円周方向の両側にポケット３１および爪３２を有する。
【００１５】
樹脂製保持器３０の外周には、第１の突起部３６および第２の突起部３８以外の位置に、軸方向において第２の突起部３８を除くポケット３１の範囲で円周方向に連続して切欠いた第１の切欠き３７が形成されている。言い換えると、第１の切欠き３７は、軸方向において第１の突起部３６および第２の突起部３８間で、円周方向に連続して切欠いたものである。また、樹脂製保持器３０の外周には、第１の突起部３６および第２の突起部３８以外の位置に、円周方向においてポケット３１間で軸方向において一端側の端面から第１の切欠き３７にかけて切欠いた第２の切欠き３５が形成されている。
【００１６】
樹脂製保持器３０は、円周方向においてポケット３１の範囲で、軸線を含む断面の面積が一番小さくなり、この部分で円周方向の引っ張り荷重によって破断しやすい。前記第１の突起部３６によって、軸線を含む断面の面積を増やしているので、破断しにくくなる。樹脂製保持器３０は、射出成形金型を使用して射出成形機により、ポケット３１、第１の突起部３６、第２の突起部３８、第１の切欠き３７、第２の切欠き３５が一体的に成形される。
【００１７】
続いて、玉軸受１０の組付け動作について説明する。
【００１８】
図１において、外輪１１および内輪２０を同軸に配置し、内輪２０に対して外輪１１を傾ける。外輪１１および内輪２０間の隙間へ玉４０を挿入し、挿入された玉４０を外輪１１の円周方向にずらす。全ての玉４０の挿入が完了すると、外輪１１の傾きを解除して外輪１１を内輪２０と同軸に配置し、玉４０を円周方向に等間隔に配置する。軸方向において一端側より樹脂製保持器３０を、外輪１１および内輪２０間に挿入し、玉４０によって一対の爪３２間が拡がる。さらに挿入すると、玉４０に倣って一対の爪３２間が狭まる方向へ一対の爪３２が弾性復帰する。こうして、玉４０は抜けないように一対の爪３２に保持される。
【００１９】
外輪１１および内輪２０間へ玉４０を挿入してから樹脂製保持器３０を玉４０に嵌めるため、外輪１１および内輪２０間への玉４０の挿入作業が容易になる。玉軸受１０は、内輪２０に図略の回転軸が挿入され、外輪１１は図略のハウジングに挿入されて使用される。
【００２０】
玉軸受１０の使用状況について説明する。
【００２１】
回転軸とともに内輪２０を回転させると、外輪側軌道面１２および内輪側軌道面２２上を玉４０が転動し、玉４０は内輪２０の回転方向と同方向へ移動する。玉４０を保持する樹脂製保持器３０も玉４０と同方向へ移動する。
【００２２】
玉軸受１０には重力等のラジアル荷重がかかる。内輪２０の回転に伴い、玉４０がラジアル荷重のかかるところへ転動する過程で、玉４０の進み遅れが発生する。ラジアル荷重のかかるところを通過すると、逆に玉４０の進みが早くなる。この結果、樹脂製保持器３０に円周方向の引張り荷重が作用し、軸線を含む断面の面積が小さいところ、すなわち円周方向においてポケット３１の範囲が破断しやすい。ポケット３１の範囲において第１の突起部３６を一体に設けたことにより、軸線を含む断面の面積が増え、破断しにくくなる。
【００２３】
外輪１１および内輪２０間には、外部から潤滑油が供給される。軸方向において一端側にある潤滑油は、図３の矢印Ｆで示すように第２の切欠き３５、第１の切欠き３７を経てポケット３１へ供給される。ポケット３１までの経路が短いので、ポケット３１へ十分な潤滑油を供給できる。第１の切欠き３７へ導かれた潤滑油は、第２の突起部３８によって強制的にポケット３１へ導かれるので、ポケット３１へ供給される潤滑油の量が一層増える。ポケット３１へ供給された潤滑油は、玉４０に付着し、玉４０および外輪１１間、玉４０および内輪２０間へ供給される。十分な潤滑油が供給されるので、外輪１１の外輪側軌道面１２および内輪２０の内輪側軌道面２２が焼き付きにくい。
【００２４】
本発明はこうした実施形態に何等限定されるものではなく、本発明の要旨を逸脱しない範囲において、種々なる態様で実施し得ることは勿論である。
【００２５】
上述した実施形態は、円周方向においてポケット３１の範囲よりも若干狭い範囲において、突起部３６を形成した。この方が、突起部３６に邪魔されなくなり潤滑油を供給する経路を短くできる。他の実施形態として、円周方向においてポケット３１の全範囲に渡って突起部３６を形成しても良い。樹脂製保持器の強度がよりアップする。
【符号の説明】
【００２６】
１１：外輪、２０：内輪、３０：樹脂製保持器、３１：ポケット、３２：一対の爪、３５：第２の切欠き、３６：第１の突起部、３７：第１の切欠き、３８：第２の突起部、４０：玉（転動体）
【図１】
2013148119.tif 000003
【図２】
2013148119.tif 000004
【図３】
2013148119.tif 000005
【図４】
2013148119.tif 000006